(57)【要約】【課題】振出式の場合、第１中竿を収納させた状態においてその後端部のガタつきを防止して第１中竿の傷付きを防止し、再び引き出す際に尻栓を緩めることを防止する。【解決手段】少なくとも元竿１０に隣接した第１中竿１２が振出式に継ぎ合わせられる釣竿であって、尻栓本体２０Ｈは円筒部２０Ａと頭部２０Ｂとを有し、円筒部の外周には雄ネジ部２０Ｎが形成されており、前記雄ネジ部が前記元竿の後端部に設けられた雌ネジ部に螺合されて元竿後端部に着脱可能に装着されており、前記尻栓本体内部には回転部材２２が回転可能に保持されており、第１中竿収納時にその後端が当接する領域である回転部材前面周辺部２Ｋは径方向に傾斜状に形成されているよう構成する。【選択図】        図３
2007029042.tif 000002
【特許請求の範囲】
【請求項１】
少なくとも元竿に隣接した第１中竿が振出式に継ぎ合わせられる釣竿であって、
尻栓本体は円筒部と頭部とを有し、円筒部の外周には雄ネジ部が形成されており、前記雄ネジ部が前記元竿の後端部に設けられた雌ネジ部に螺合されて元竿後端部に着脱可能に装着されており、
前記尻栓本体内部には回転部材が回転可能に保持されており、
第１中竿収納時にその後端が当接する領域である回転部材前面周辺部は径方向に傾斜状に形成されている
ことを特徴とする釣竿。
【請求項２】
前記第１中竿の前半領域には、該第１中竿を収納させると、外周面が元竿先端部内面を押圧しつつ、該第１中竿の後端が前記回転部材に当接した状態を維持しつつ継合保持を可能にさせる大径部が設けられている請求項１記載の釣竿。
【請求項３】
前記回転部材の傾斜状の表面には、該回転部材自体よりも摩擦力が大きくなる被膜又は薄板部材が設けられている請求項１又は２記載の釣竿。
【請求項４】
前記回転部材の外周には、該回転部材の厚さに対して数分の一以下の薄肉の外周凸部を設け、該外周凸部の頂部が前記尻栓本体内部の周面に当接する請求項１〜３の何れか１記載の釣竿。
【請求項５】
前記尻栓本体の内部底面と該底面に対面する回転部材の面であって中心軸芯上に中央凹部又は中央凸部を設け、該中央凹部に中央凸部が入り、その径方向隙間は、回転部材外周面と前記尻栓本体内部の周面との隙間よりも小さい請求項１〜３の何れか１記載の釣竿。
【請求項６】
前記回転部材が径方向の割りを有し、前記傾斜状の部分が、半径位置が大きくなるに従って前方に突出する形状である請求項１〜４の何れか１記載の釣竿。
【請求項７】
前記回転部材が径方向の割りを有し、前記傾斜状の部分が、半径位置が小さくなるに従って前方に突出する形状の場合、前記内部の底面周縁部に環状溝を設け、該環状溝に入るように回転部材の縁部に裏面凸部を設けている請求項１〜４の何れか１記載の釣竿。
【発明の詳細な説明】
【技術分野】
【０００１】
本発明は、元竿と第１中竿とが振出式に構成されている釣竿に関する。
【背景技術】
【０００２】
振出式釣竿において、元竿に第１中竿を収納させた短い状態を保持しつつ釣りを可能にさせる構造が下記特許文献１に開示されている。この中で、元竿後端部の雌ネジ部に、竿尻部品（尻栓）とは別の保持部品２２を螺着させ、この部品で第１中竿の後端部を保持する構造が例示されている。然し、一般に部品点数は少ないほど好ましく、こうした尻栓とは別になった部品を無くし、尻栓で同機能を持たせたい。また、こうした保持部品の存在により、第１中竿の外径が小さく制約される。
【特許文献１】特開平８−９８３９号公報
【発明の開示】
【発明が解決しようとする課題】
【０００３】
然しながら、同文献にも開示があるが、尻栓自体によって第１中竿を保持する構造の場合、該第１中竿を引き出して長い状態で釣り操作を行いたい場合、通常、引き出しに際しては、保持固着力に対向するため、竿管を捩りつつ引き出そうとする。この捩りによって尻栓が共回りさせられることがある。一旦幾分かでも回転すると緩み、何時の間にか尻栓が外れてしまうという不具合を起こしかねない。
依って解決しようとする課題は、元竿と第１中竿が振出式の場合、第１中竿を収納させた状態においてその後端部のガタつきを防止して第１中竿の傷付きを防止し、再び引き出す際に尻栓を緩めることを防止できる釣竿の提供である。
特に、長さ調節式釣竿の場合に、第１中竿の後端部のガタつきを防止して傷付きを防止する他に、釣り操作を安定させ、再び引き出す際に尻栓を緩めることを防止できる釣竿の提供である。
【課題を解決するための手段】
【０００４】
第１の発明では、少なくとも元竿に隣接した第１中竿が振出式に継ぎ合わせられる釣竿であって、尻栓本体は円筒部と頭部とを有し、円筒部の外周には雄ネジ部が形成されており、前記雄ネジ部が前記元竿の後端部に設けられた雌ネジ部に螺合されて元竿後端部に着脱可能に装着されており、前記尻栓本体内部には回転部材が回転可能に保持されており、第１中竿収納時にその後端が当接する領域である回転部材前面周辺部は径方向に傾斜状に形成されていることを特徴とする釣竿を提供する。
傾斜状とは、直線的な傾斜の他、曲線的傾斜も含む。
【０００５】
第２の発明では、第１発明の前記第１中竿の前半領域には、該第１中竿を収納させると、外周面が元竿先端部内面を押圧しつつ、該第１中竿の後端が前記回転部材に当接した状態を維持しつつ継合保持を可能にさせる大径部が設けられているよう構成する。
【０００６】
第３の発明では、第１発明又は第２発明の前記回転部材の傾斜状の表面には、該回転部材自体よりも摩擦力が大きくなる被膜又は薄板部材が設けられているよう構成する。
第４の発明では、第１発明〜第３発明の前記回転部材の外周には、該回転部材の厚さに対して数分の一以下の薄肉の外周凸部を設け、該外周凸部の頂部が前記尻栓本体内部の周面に当接するよう構成する。
【０００７】
第５の発明では、第１発明〜第３発明の
前記尻栓本体の内部底面と該底面に対面する回転部材の面であって中心軸芯上に中央凹部又は中央凸部を設け、該中央凹部に中央凸部が入り、その径方向隙間は、回転部材外周面と前記尻栓本体内部の周面との隙間よりも小さいよう構成する。
【０００８】
第６の発明では、第１発明〜第４発明の前記回転部材が径方向の割りを有し、前記傾斜状の部分が、半径位置が大きくなるに従って前方に突出する形状であるよう構成する。
第７の発明では、第１発明〜第４発明の
前記回転部材が径方向の割りを有し、前記傾斜状の部分が、半径位置が小さくなるに従って前方に突出する形状の場合、前記内部の底面周縁部に環状溝を設け、該環状溝に入るように回転部材の縁部に裏面凸部を設けているよう構成する。
【発明の効果】
【０００９】
第１の発明では、回転部材は尻栓本体内で回転可能であるため、第１中竿が収納され、その後端が当接した状態から該第１中竿を引き出す際に、例え第１中竿を捩りつつ引き出したとしても、回転部材が共に回転することはあっても尻栓本体は共回りしない。従って、尻栓が不用意に外れない。また、回転部材前面周辺部が径方向に傾斜状に形成されているため、第１中竿を収納させて後端を当接させた場合に、該第１中竿は径方向にガタつかないで安定し、竿管の傷付きが防止できる。
【００１０】
第２の発明は、第１の発明を、元竿内に少なくとも第１中竿を収納してその状態で保持し、その分短い竿状態で釣りを可能にさせる、所謂、長さ調節機構付きの釣竿としたものである。この場合の追加作用効果は、第１中竿が径方向にガタつかないで安定し、竿管の傷付きが防止できる他、釣り操作が安定する。また、再び第１中竿を引き出す場合には、大径部の保持を緩めるために、捩り回転をさせつつ引き出そうとするが、その場合、第１中竿後端による捩り作用は回転部材が受けて回転するが、尻栓本体には及ばない。従って、不用意な尻栓の緩みが防止できる。
【００１１】
第３の発明で追加される作用効果は、傾斜状部分に摩擦係数の大きな被膜か部材が設けられているため、ガタ防止の径方向安定度が増す。
第４の発明で追加される作用効果は、薄肉外周凸部の頂部が尻栓本体内部の周面に当接するので、回転部材が径方向にガタつかず、安定する。また、この当接する外周凸部は回転部材の肉厚に対して数分の一以下の薄肉であるため、尻栓本体に対して回転する際に殆ど抵抗にならず、尻栓本体を共回りさせないで、回転部材のみが回転できる。
【００１２】
第５の発明で追加される作用効果は、回転部材の外周と尻栓本体内部の周面という大径部に対し、中心軸芯部の小径の凹凸によって小さな隙間の係合とすれば、小径の中央凹部と中央凸部とが当接して径方向のガタを規制し、大径の尻栓本体内部の周面と回転部材外周とは当接しない。従って、収納された第１中竿を再び引き出す際に、例え、捩りながら行っても、回転部材外周は尻栓本体内部の側周壁に当接しないため、尻栓本体の共回りをより確実に防止できる。この場合、小径の中央凹部と中央凸部とが当接することがあり得るが、小径故、発生トルクが小さく、共回りを生じることが防止される。
【００１３】
第６の発明では、回転部材の径方向の割りは、尻栓本体の内部に回転部材を挿入する場合に、円筒部内面に圧入させる場合があるが、それを容易又は可能にさせることの他、圧入させない寸法の場合でも、次のために設けられる。この割りを有する場合であって、傾斜状の部分が半径位置が大きくなるに従って前方に突出する形状の場合、第１中竿を収納させてその後端を回転部材に押し当てると、回転部材はその径が拡径する。従って、寸法設定によっては回転部材の外周が尻栓本体の内部の周面に当接して、回転部材の不用意な回転を規制でき、安定した収納状態を維持できる。また、再び引き出す際は、第１中竿の後端が回転部材から離れるので、回転部材の径が縮径する。このため、第１中竿を捩っても回転部材の回転が尻栓本体に伝達され難く、尻栓本体を共回りさせ難い。
【００１４】
第７の発明では、回転部材の径方向の割りは、尻栓本体の内部に回転部材を挿入する場合に、円筒部内面に圧入させる場合があるが、それを容易又は可能にさせることの他、圧入させない寸法の場合でも、次のために設けられる。この割りを有する場合であって、傾斜状の部分が半径位置が小さくなるに従って前方に突出する形状の場合、第１中竿を収納させてその後端を回転部材に押し当てると、回転部材はその径が収縮する。従って、尻栓本体内部の底面周縁部に環状溝を設け、該環状溝に入るように回転部材の縁部に裏面凸部を設けていると、収縮時に裏面凸部と環状溝とが押圧し合い、回転部材の不用意な回転を規制でき、安定した収納状態を維持できる。また、再び引き出す際は、裏面凸部と環状溝との押圧が解除されて回転部材はその径が拡径して元に戻る。このため、裏面凸部と環状溝との押圧も解除され、回転部材は回転自在の状態に戻る。従って、例え、捩りながら引き出しを行っても、尻栓本体は共回りしない。
【発明を実施するための最良の形態】
【００１５】
以下、本発明を図面を用いて詳細に説明する。図１は本発明に係る釣竿の例としての鮎竿の全体図であり、図２はその元竿と第１中竿の拡大図、図３は収納時の元竿尻部の断面拡大図である。以下の説明構造は、鮎竿以外の渓流竿等でも同様な構造が採用できる。元竿１０に対して第１中竿１２が、該第１中竿に対して第２中竿が、夫々振出式に継ぎ合せられている。この鮎竿はその先の各竿管も同様に振出式である。第１竿管１２は、その先端部１２Ｔが外側に膨出した膨出部であり、元竿内に収納した際に、元竿先端部内面に対して膨出部１２Ｔが押圧係合する。
【００１６】
但し、所定の力を与えれば押圧しつつも前後方向に摺動可能である。この押圧状態の収納位置において、第１中竿の後端が尻栓２０の後述の回転部材に当接する。膨出部１２Ｔは第１中竿の先端部とは限らず、前側半分の何処かの領域１２Ｔ’に位置し得る。渓流竿では、第２中竿１４も第１中竿と同様に膨出部を有し、第１中竿の先端部内面に対して押圧係合する構造の場合が多い。
【００１７】
尻栓２０は、尻栓本体２０Ｈと回転部材２２とを有している。尻栓本体は、頭部２０Ｂと、該頭部から先方に延伸している円筒部２０Ａとを有し、該円筒部の外周には雄ネジ部２０Ｎが形成されており、元竿後端部内面の雌ネジ部に螺合されている。一方、円筒部の内面後端部には段差状に（図示の程度に僅かに）拡径した凹部２０Ｃが形成されている。この凹部は円筒の内部形状であり、円板状の回転部材２２が回転可能に配設されている。凹部の深さは回転部材の厚さに対応し、凹部の深さが僅かに深い。この例の回転部材の径方向断面の形状は、その周辺部が外側ほど前方に突出するように傾斜した傾斜面部２２Ｋを有している。
【００１８】
この傾斜面部の傾斜は直線以外に曲線でもよい。特に後方に窪むような曲線、その他である。回転部材２２は凹部の前側に隣接した円筒部の内径よりも僅かに大径であり、ＡＢＳやナイロンやポリアセタール等の合成樹脂部材、又はアルミやチタン等の金属で形成する。凹部に収めるには、その途中の円筒部内を圧入移動させるが、回転部材の材質硬さによっては、図７に示す回転部材２２’のように、径方向に割り２２Ｗを設けて圧入し易くする。このように、圧入させる以外に、遊嵌状に配設可能な寸法に形成し、ピン部材等によって回転可能に保持することもできる。
【００１９】
傾斜面部の存在により、第１中竿等の竿管が収納されてその後端が該傾斜面部に当接していると、該竿管は径方向にガタつき難い。その理由は、竿管の互いに１８０度反対側の一方の部位が半径方向の中心方向に移動しようとすると、他方の部位が半径方向外側に移動しなければならない。しかし、半径外側方向は登り坂であるため移動が邪魔され、竿管の径方向ガタつきが防止される。
上記直線状の傾斜面部の場合、その傾斜角度θは３０〜６０度が好ましい。３０度よりも小さいと竿管がずれ易く、６０度よりも大きいと傾斜面部の高さ（回転部材の厚さ方向寸法）が高く、径方向の幅寸法が小さくなり、設計的な制約が大きくなる。
【００２０】
円筒部の先端部内面２０Ｋをテーパ状にしているのは、第１中竿１２を収納させる際に当たらないように工夫したものである。Ｈは水や空気抜きの孔であり、２１はＯリングである。２２Ｌは、傾斜面部の面等、回転部材の前側面の摩擦を大きくするための樹脂被膜やゴム被膜である。また、ゴムやエラストマー等の薄い板部材を貼り付けてもよい。
【００２１】
図４は図３の回転部材の変形例を示し、異なるのは、回転部材２２の外周面に、回転部材の厚さＴよりも相当に小さな（１／１０程度の）薄肉Ｔ’の外周凸部２２Ｔを設け、凹部２０Ｃ内に配設されている状態において、外周凸部の頂部が凹部２０Ｃの周面（側壁）に当接するように構成している。これによって回転部材が凹部との径方向隙間の分だけガタつくことが防止される。しかも、外周凸部は薄肉厚故、回転部材が回転しようとする際には、外周凸部と凹部周面との摩擦力は非常に小さく、殆ど回転の抵抗にならないで済む。外周凸部は環状でも、部分的でもよい。
【００２２】
外周凸部２２Ｔが凹部周面に当接しない寸法形態の場合、回転部材２２に図７のような割りを設けていれば、第１中竿を収納した際に、その後端によって押圧して回転部材を拡径させ、外周凸部を凹部周面に当接させることができる。この場合、収納状態でガタつかず、安定する。再び引き出す際には、第１中竿を捩り回転させつつ引き出しても、回転部材は縮径するため、回転部材の回転は尻栓本体には伝達されない。尤も、最初の僅かな捩りの際に、外周凸部２２Ｔが凹部周面に当接した状態であるが、外周凸部は薄肉厚故、第１中竿の捩りにつられて回転部材が回転しようとする際には、外周凸部と凹部周面との摩擦力は非常に小さく、殆ど回転の抵抗にならないで済む。従って、尻栓本体を不用意に緩めないで済む。
【００２３】
図５は、他の形態例を示す部分縦断面図である。回転部材の中心軸芯上に図示の程度の小径の中央凹部２２Ｃを設け、凹部２０Ｃの底面中央部に中央凸部２０Ｔを設け、該中央凸部を前記中央凹部に入れて係合させる。この中央凹部と中央凸部は逆に構成してもよい。それらの径方向隙間寸法は、回転部材２２と凹部２０Ｃとの径方向隙間よりも小さく設定する。これにより、回転部材が凹部の中心位置に保持でき、それだけ径方向のガタつきが防止できる。更には、小径故、回転時に接触しても摩擦力が小さく、回転部材の回転の邪魔になり難い。従って、尻栓本体を共回りさせ難い。
【００２４】
以上の傾斜面部２２Ｋの傾斜は、外径側ほど後方に窪むように逆に傾斜していてもよい。
図６は回転部材２２の傾斜面部２２Ｋ’は、外径側ほど後方に窪むように傾斜しており、また、図７と同様に割りを有している。その後面の周辺部には、裏面凸部２２Ｔ’を設け、対応する凹部２０Ｃの底面に環状溝２０Ｃ’を形成している。裏面凸部は環状でもよく、また、途切れていてもよい。
【００２５】
上記傾斜面部と割りの存在によって第１中竿等を収納させてその後端で傾斜面部を押圧すると、回転部材２２は縮径する。この際、裏面凸部２２Ｔ’が環状溝２０Ｃ’に当接する。従って、竿管を収納した際に、回転部材は勝手に回動することが防止され、収納状態が安定する。再び引き出す際には、捩りつつ引き出すが、引き出そうとすると竿管後端による回転部材への押圧力が低減して該回転部材が拡径して裏面凸部と環状溝との当接が解除される。従って、回転部材２２はそれ自体が回転できるが、尻栓本体を共回りさせない。
【００２６】
以上の各回転部材と尻栓本体との間にベアリングを設けて、相対回転を滑らかにしてもよい。
【産業上の利用可能性】
【００２７】
本発明は、鮎竿や渓流竿等の振出式釣竿のように、少なくとも元竿と第１中竿とが振出式に構成された釣竿に利用できる。
【図面の簡単な説明】
【００２８】
【図１】図１は本発明に係る釣竿の全体側面図である。
【図２】図２はその元竿と第１中竿との拡大図である。
【図３】図３は収納時の元竿尻部を拡大した部分縦断面図である
【図４】図４は他の形態例を示す図である。
【図５】図５は他の形態例を示す図である。
【図６】図６は他の形態例を示す図である。
【図７】図７は回転部材の例示図である。
【符号の説明】
【００２９】
２０Ａ                      円筒部
２０Ｃ                      凹部
２０Ｃ’                    環状溝
２０Ｈ                      尻栓本体
２０Ｔ                      中央凸部
２２                        回転部材
２２Ｃ                      中央凹部
２２Ｋ                      傾斜面部
２２Ｔ                      外周凸部
２２Ｔ’                    裏面凸部
【図１】
2007029042.tif 000003
【図２】
2007029042.tif 000004
【図３】
2007029042.tif 000005
【図４】
2007029042.tif 000006
【図５】
2007029042.tif 000007
【図６】
2007029042.tif 000008
【図７】
2007029042.tif 000009